(57)【要約】【課題】キャラクターグッズなどの識別体を傘の柄に滞留させる着脱自在な止め具を提供する。【解決手段】少なくとも棒状の柄８０を有する傘８用の止め具１０であって、筒体１１、ストラップ繋止部１２、及び滑り防止手段となる弾性シート１３を備える。筒体１１は、棒状の柄８０を弾性的に挟着する。ストラップ繋止部１２は、筒体１１の外壁に設けられる。弾性シート１３は、筒体１１の内壁に設けられる。筒体１１は、軸方向と略平行に、棒状の柄８０の外径より小さく開口されたスリット１１ａを有する。弾性シート１３は、筒体１１の内壁に貼着されて棒状の柄８０に対して滑り困難となっている。【選択図】図４
2009072578.tif 000002
【特許請求の範囲】
【請求項１】
少なくとも棒状の柄を有する傘用止め具であって、
前記棒状の柄を弾性的に挟着する筒体と、
この筒体の外壁に設けられたストラップ繋止部と、
前記筒体の内壁に設けられた滑り防止手段と、を備え、
前記筒体は、軸方向と略平行に前記棒状の柄の外径より小さく開口されたスリットを有し、
前記滑り防止手段は、前記筒体の内壁に貼着されて前記棒状の柄に対して滑り困難な弾性シートで構成されている傘用止め具。
【請求項２】
前記筒体は、弾性変形する柔軟合成樹脂で成形されている請求項１記載の傘用止め具。
【請求項３】
少なくとも棒状の柄を有する傘用止め具であって、
前記棒状の柄を巻回して締結する帯体と、
この帯体の一方の面に設けられたストラップ繋止部と、
前記帯体の他方の面に設けられた滑り防止手段と、を備え、
前記帯体は、一方の面の一端側と他方の面の他端側とが相互に着脱自在な一組の帯状の面ファスナを有し、
前記滑り防止手段は、前記帯体の他方の面に貼着されて前記棒状の柄に対して滑り困難な弾性シートで構成されている傘用止め具。
【請求項４】
前記帯体は、屈曲自在な布体で形成されている請求項３記載の傘用止め具。
【請求項５】
少なくとも棒状の柄を有する傘用止め具であって、
前記棒状の柄を巻回して締結する長尺の帯体と、
この長尺の帯体の一方の面に設けられたストラップ繋止部と、
前記長尺の帯体の他方の面に設けられた滑り防止手段と、を備え、
前記長尺の帯体は、一方の面の一端側が他方の面の他端側に着脱自在な貼着部と、一方の面に意匠が表示された意匠部と、を有し、
前記滑り防止手段は、前記長尺の帯体の他方の面に貼着されて前記棒状の柄に対して滑り困難な弾性シートで構成されている傘用止め具。
【請求項６】
前記長尺の帯体は、屈曲自在な柔軟合成樹脂で成形されている請求項５記載の傘用止め具。
【請求項７】
少なくとも棒状の柄を有する傘用止め具であって、
前記棒状の柄を挟持する一対の第１開閉体と、
これらの第１開閉体の外壁に設けられたストラップ繋止部と、
前記一対の第１開閉体の内壁に設けられた滑り防止手段と、を備え、
前記一対の第１開閉体は、連結部に設けられた第１ねじりコイルばねが閉じる方向に付勢する一対の挟持部と、互いに近づけることにより前記第１ねじりコイルばねに抗して前記一対の挟持部を開く一対の把持部と、を有し、
前記滑り防止手段は、前記一対の挟持部の内壁に貼着されて前記棒状の柄に対して滑り困難な一対の弾性シートで構成されている傘用止め具。
【請求項８】
前記一対の第１開閉体は、剛体で構成されている請求項７記載の傘用止め具。
【請求項９】
少なくとも棒状の柄を有する傘用止め具であって、
前記棒状の柄を挟持する一対の第２開閉体と、
前記一対の第２開閉体の内の一方の第２開閉体の外壁に貼着される識別シールと、
前記一対の第２開閉体の内壁に設けられた滑り防止手段と、を備え、
前記一対の第２開閉体は、これらの第２開閉体の端部同士を回動可能に連結する連結部に配置された第２ねじりコイルばねであって、これらの第２開閉体を閉じる方向に力を付勢する第２ねじりコイルばねを有し、
前記滑り防止手段は、前記一対の第２開閉体の内壁に貼着されて前記棒状の柄に対して滑り困難な一対の弾性シートで構成されている傘用止め具。
【請求項１０】
前記一対の第２開閉体の内の他方の第２開閉体の外壁に貼着されるネームシールを更に備える請求項９記載の傘用止め具。
【請求項１１】
一方の面の一部が前記一対の第２開閉体の連結部に連結し、視覚容易に配置される他方の面に蓄光シール又は蛍光シールが貼着される標識板を備える請求項９又は１０記載の傘用止め具。
【請求項１２】
少なくとも棒状の柄を有する傘用止め具であって、
弾性的に縮径して前記棒状の柄に対して滑り困難に締着する筒状の第１防水布体と、
所要の長さの優弧部を前記第１防水布体の端部の内面に止着し、残余の劣弧部を当該第１防水布体の端部の外面に突出する無端状の紐体と、を備え、
前記第１防水布体は、その外面に意匠が表示された意匠部を有し、
前記紐体は、前記劣弧部に係止されて前記優弧部を縮径可能なクリップを有する傘用止め具。
【請求項１３】
前記第１防水布体は、前記紐体が止着される端部の開口が棒状の柄に着脱容易に拡径している請求項１２記載の傘用止め具。
【請求項１４】
少なくとも棒状の柄を有する傘用止め具であって、
弾性的に縮径して前記棒状の柄に対して滑り困難に締着する筒状の第２防水布体と、
この第２防水布体の一方の端部の開口から当該第２防水布体の長手方向の途中までを開閉するファスナと、を備え、
前記第２防水布体は、その外面に意匠が表示された意匠部を有する傘用止め具。
【発明の詳細な説明】
【技術分野】
【０００１】
本発明は、傘用止め具に関する。特に、傘の柄に着脱される止め具に関する。
【背景技術】
【０００２】
携帯用の折りたたみ傘又は伸縮できる傘を除く一般的な傘は、取っ手となるＵ字状の柄を有している。このような一般的な傘は、例えば両手を使用する場合や電車内で立て掛けた傘が転倒するという不具合があった。
【０００３】
このような不具合に対し、傘に自由に着脱できると共に、傘の使用時に邪魔にならない、腕を通すことができる長い環状のストラップを着けた傘用のストラップ装置が考案されている（例えば、特許文献１参照）。
【０００４】
特許文献１による傘は、傘の柄部に着脱可能に巻締め固定するストラップ固定部を設けている。又、ストラップ固定部に腕を挿通し得る環状のストラップの基端部を取付け固定している。更に、このストラップの基端部付近にフック、磁石、面状ファスナなどの相互に着脱すべき着脱部材の一方の部材を設けると共に、このストラップの先端部付近に着脱部材に着脱すべき他方の着脱部材を設けて構成している。
【０００５】
特許文献１による傘は、必要に応じて、ストラップに腕を通して傘を保持できるので、両手を自由に使用できる、としている。又、特許文献１による傘は、自由にストラップ固定部を着脱できるので、ストラップなしで傘を使用できる、としている。
【特許文献１】実開平７−３３２８号公報
【発明の開示】
【発明が解決しようとする課題】
【０００６】
例えば、公共施設や従業員の多い会社などでは、複数の傘を立脚して収納する傘立てが用意されている。このような傘立てには、類似した傘が収納されているので、善意の第三者が不用意に他者の傘を持ち帰ってしまうことが起こりえる。特に、傘の柄の形状と色彩が同じの場合は、自己の傘と他者の傘を混同し易いと考えられる。
【０００７】
傘の柄に色彩テープや名前入りテープを貼着して、自己の傘と他者の傘と識別することが考えられるが、美観上、好ましくない。傘の柄の基端部に設けられたリング部材にストラップを介して嗜好のキャラクターグッズを取り付けて、自己の傘を特定することが考えられる。
【０００８】
しかし、前述のような傘立てに傘を立脚した状態では、キャラクターグッズが他者の傘の本体（帆部）に埋没して、結局は自己の傘を容易に識別できないという問題がある。キャラクターグッズなどの識別体が傘の柄に滞留するように配置できれば、傘立てから不用意に他者の傘を持ち帰えることを防止できる。そして、以上のことが本発明の課題といってよい。
【０００９】
本発明は、このような問題に鑑みてなされたものであり、キャラクターグッズなどの識別体を傘の柄に滞留させる着脱自在な止め具を提供することを目的とする。
【課題を解決するための手段】
【００１０】
本発明者は、傘の柄と弾性的に挟着する止め具に滑り防止手段を設けることにより、キャラクターグッズなどの識別体を傘の柄に滞留させることを見出し、これに基づいて、以下のような新たな傘用止め具を発明するに至った。
【００１１】
（１）  少なくとも棒状の柄を有する傘用止め具であって、前記棒状の柄を弾性的に挟着する筒体と、この筒体の外壁に設けられたストラップ繋止部と、前記筒体の内壁に設けられた滑り防止手段と、を備え、前記筒体は、軸方向と略平行に前記棒状の柄の外径より小さく開口されたスリットを有し、前記滑り防止手段は、前記筒体の内壁に貼着されて前記棒状の柄に対して滑り困難な弾性シートで構成されている傘用止め具。
【００１２】
（１）の発明による止め具は、少なくとも棒状の柄を有する傘用止め具であって、筒体、ストラップ繋止部、及び滑り防止手段を備えている。筒体は、棒状の柄を弾性的に挟着する。ストラップ繋止部は、筒体の外壁に設けられている。滑り防止手段は、筒体の内壁に設けられている。そして、筒体は、軸方向と略平行に、棒状の柄の外径より小さく開口されたスリットを有している。又、滑り防止手段は、筒体の内壁に貼着されて棒状の柄に対して滑り困難な弾性シートで構成されている。
【００１３】
（１）の発明による止め具は、スリットを拡げることにより、傘の柄に筒体を取り付けることができる。ストラップ繋止部は、Ｕ字状に形成されてよく、例えば、キャラクターグッズなどの識別体に設けられたストラップを繋止できる。筒体は、傘の柄の基端部から上方の先端部側に挟着することが好ましい。弾性シートは、天然ゴムでよく、合成ゴムでよく、粘性を有することが滑り困難となり好ましい。
【００１４】
このように、（１）の発明による止め具は、滑り防止手段で傘の柄から下降しないように係止されるので、キャラクターグッズなどの識別体が傘の柄に滞留するように配置できる。そして、傘立てに傘を立脚した状態では、キャラクターグッズなどの識別体が他者の傘の本体（帆部）に埋没しないので、傘立てから不用意に他者の傘を持ち帰えることを防止できる。
【００１５】
（２）  前記筒体は、弾性変形する柔軟合成樹脂で成形されている（１）記載の傘用止め具。
【００１６】
（３）  少なくとも棒状の柄を有する傘用止め具であって、前記棒状の柄を巻回して締結する帯体と、この帯体の一方の面に設けられたストラップ繋止部と、前記帯体の他方の面に設けられた滑り防止手段と、を備え、前記帯体は、一方の面の一端側と他方の面の他端側とが相互に着脱自在な一組の帯状の面ファスナを有し、前記滑り防止手段は、前記帯体の他方の面に貼着されて前記棒状の柄に対して滑り困難な弾性シートで構成されている傘用止め具。
【００１７】
（３）の発明による止め具は、少なくとも棒状の柄を有する傘用止め具であって、帯体、ストラップ繋止部、及び滑り防止手段を備えている。帯体は、棒状の柄を巻回して締結する。ストラップ繋止部は、帯体の一方の面に設けられている。滑り防止手段は、帯体の他方の面に設けられている。そして、帯体は、一方の面の一端側と他方の面の他端側とが相互に着脱自在な一組の帯状の面ファスナを有している。又、滑り防止手段は、帯体の他方の面に貼着されて、棒状の柄に対して滑り困難な弾性シートで構成されている。
【００１８】
（３）の発明による止め具は、帯体を棒状の柄に巻回して傘の柄に一組の帯状の面ファスナで締結できる。ストラップ繋止部は、Ｕ字状に形成されてよく、円環状に形成されてよく、例えば、キャラクターグッズなどの識別体に設けられたストラップを繋止できる。帯体は、傘の柄の基端部から上方の先端部側に締結することが好ましい。弾性シートは、天然ゴムでよく、合成ゴムでよく、粘性を有することが滑り困難となり好ましい。
【００１９】
このように、（３）の発明による止め具は、滑り防止手段で傘の柄から下降しないように係止されるので、キャラクターグッズなどの識別体が傘の柄に滞留するように配置できる。そして、傘立てに傘を立脚した状態では、キャラクターグッズなどの識別体が他者の傘の本体（帆部）に埋没しないので、傘立てから不用意に他者の傘を持ち帰えることを防止できる。
【００２０】
（４）  前記帯体は、屈曲自在な布体で形成されている（３）記載の傘用止め具。
【００２１】
（５）  少なくとも棒状の柄を有する傘用止め具であって、前記棒状の柄を巻回して締結する長尺の帯体と、この長尺の帯体の一方の面に設けられたストラップ繋止部と、前記長尺の帯体の他方の面に設けられた滑り防止手段と、を備え、前記長尺の帯体は、一方の面の一端側が他方の面の他端側に着脱自在な貼着部と、一方の面に意匠が表示された意匠部と、を有し、前記滑り防止手段は、前記長尺の帯体の他方の面に貼着されて前記棒状の柄に対して滑り困難な弾性シートで構成されている傘用止め具。
【００２２】
（５）の発明による止め具は、少なくとも棒状の柄を有する傘用止め具であって、長尺の帯体、ストラップ繋止部、及び滑り防止手段を備えている。長尺の帯体は、棒状の柄を巻回して締結する。ストラップ繋止部は、長尺の帯体の一方の面に設けられている。滑り防止手段は、長尺の帯体の他方の面に設けられている。
【００２３】
長尺の帯体は、貼着部と意匠部を有している。貼着部は、長尺の帯体の一方の面の一端側が長尺の帯体の他方の面の他端側に着脱自在となっている。例えば、貼着部には、粘着シートを貼着してもよい。意匠部は、長尺の帯体の一方の面に意匠が表示されている。又、滑り防止手段は、長尺の帯体の他方の面に貼着されて、棒状の柄に対して滑り困難な弾性シートで構成されている。
【００２４】
（５）の発明による止め具は、長尺の帯体を棒状の柄に巻回して傘の柄に締結できる。ストラップ繋止部は、Ｕ字状に形成されてよく、円環状に形成されてよく、例えば、キャラクターグッズなどの識別体に設けられたストラップを繋止できる。ストラップ繋止部は、長尺の帯体の長手方向の一方の端部に設けることが好ましく、ストラップ繋止部が傘の柄の上方に位置するように長尺の帯体に締結することが好ましい。弾性シートは、天然ゴムでよく、合成ゴムでよく、粘性を有することが滑り困難となり好ましい。
【００２５】
このように、（５）の発明による止め具は、滑り防止手段で傘の柄から下降しないように係止されるので、キャラクターグッズなどの識別体が傘の柄に滞留するように配置できる。そして、傘立てに傘を立脚した状態では、キャラクターグッズなどの識別体が他者の傘の本体（帆部）に埋没しないので、傘立てから不用意に他者の傘を持ち帰えることを防止できる。又、（５）の発明による止め具は、長尺の帯体に意匠が表示されるので、美観上好ましく、意匠自体で識別可能になると考えられる。
【００２６】
（６）  前記長尺の帯体は、屈曲自在な柔軟合成樹脂で成形されている（５）記載の傘用止め具。
【００２７】
（７）  少なくとも棒状の柄を有する傘用止め具であって、前記棒状の柄を挟持する一対の第１開閉体と、これらの第１開閉体の外壁に設けられたストラップ繋止部と、前記一対の第１開閉体の内壁に設けられた滑り防止手段と、を備え、前記一対の第１開閉体は、連結部に設けられた第１ねじりコイルばねが閉じる方向に付勢する一対の挟持部と、互いに近づけることにより前記第１ねじりコイルばねに抗して前記一対の挟持部を開く一対の把持部と、を有し、前記滑り防止手段は、前記一対の挟持部の内壁に貼着されて前記棒状の柄に対して滑り困難な一対の弾性シートで構成されている傘用止め具。
【００２８】
（７）の発明による止め具は、少なくとも棒状の柄を有する傘用止め具であって、一対の第１開閉体、ストラップ繋止部、及び滑り防止手段を備えている。一対の第１開閉体は、棒状の柄を挟持する。ストラップ繋止部は、一対の第１開閉体に外壁に設けられている。滑り防止手段は、一対の第１開閉体の内壁に設けられている。
【００２９】
一対の第１開閉体は、一対の挟持部と一対の把持部を有している。一対の挟持部は、連結部に設けられたねじりコイルばねが一対の挟持部を閉じる方向に付勢する。一対の把持部は、互いに近づけることにより、ねじりコイルばねに抗して一対の挟持部を開くことができる。又、滑り防止手段は、一対の挟持部の内壁に貼着されて、棒状の柄に対して滑り困難な一対の弾性シートで構成されている。
【００３０】
（７）の発明による止め具は、一対の挟持部を開いて棒状の柄に挿入してよく、一対の挟持部を閉じて、一対の第１開閉体を棒状の柄に挟持できる。ストラップ繋止部は、Ｕ字状に形成されてよく、例えば、キャラクターグッズなどの識別体に設けられたストラップを繋止できる。一対の開閉体は、傘の柄の基端部から上方の先端部側に挟持することが好ましい。一対の弾性シートは、天然ゴムでよく、合成ゴムでよく、粘性を有することが滑り困難となり好ましい。
【００３１】
このように、（７）の発明による止め具は、滑り防止手段で傘の柄から下降しないように係止されるので、キャラクターグッズなどの識別体が傘の柄に滞留するように配置できる。そして、傘立てに傘を立脚した状態では、キャラクターグッズなどの識別体が他者の傘の本体（帆部）に埋没しないので、傘立てから不用意に他者の傘を持ち帰えることを防止できる。
【００３２】
（８）  前記一対の第１開閉体は、剛体で構成されている（７）記載の傘用止め具。
【００３３】
（９）  少なくとも棒状の柄を有する傘用止め具であって、前記棒状の柄を挟持する一対の第２開閉体と、前記一対の第２開閉体の内の一方の第２開閉体の外壁に貼着される識別シールと、前記一対の第２開閉体の内壁に設けられた滑り防止手段と、を備え、前記一対の第２開閉体は、これらの第２開閉体の端部同士を回動可能に連結する連結部に配置された第２ねじりコイルばねであって、これらの第２開閉体を閉じる方向に力を付勢する第２ねじりコイルばねを有し、前記滑り防止手段は、前記一対の第２開閉体の内壁に貼着されて前記棒状の柄に対して滑り困難な一対の弾性シートで構成されている傘用止め具。
【００３４】
（９）の発明による止め具は、少なくとも棒状の柄を有する傘用止め具であって、一対の第２開閉体、識別シール、滑り防止手段を備えている。一対の第２開閉体は、棒状の柄を挟持する。識別シールは、一対の第２開閉体の内の一方の第２開閉体の外壁に貼着される。滑り防止手段は、一対の第２開閉体の内壁に設けられている。
【００３５】
一対の第２開閉体は、第２ねじりコイルばねを有している。第２ねじりコイルばねは、一対の第２開閉体の端部同士を回動可能に連結する連結部に配置されている。そして、第２ねじりコイルばねは、一対の第２開閉体を閉じる方向に力を付勢している。又、滑り防止手段は、一対の第２開閉体の内壁に貼着されて、棒状の柄に対して滑り困難な一対の弾性シートで構成されている。
【００３６】
（９）の発明による止め具は、一対の第２開閉体を開いて棒状の柄に挿入してよく、一対の第２開閉体を閉じて、一対の第２開閉体を棒状の柄に挟持できる。識別シールは、一対の第２開閉体の内の一方の第２開閉体の外壁に貼着されてよく、例えば、キャラクターなどが描かれた識別シールを一方の第２開閉体の外壁に表示できる。一対の第２開閉体は、傘の柄の基端部から上方の先端部側に挟持することが好ましい。一対の弾性シートは、天然ゴムでよく、合成ゴムでよく、粘性を有することが滑り困難となり好ましい。
【００３７】
このように、（９）の発明による止め具は、滑り防止手段で傘の柄から下降しないように係止されるので、キャラクターなどの識別表示を傘の柄の先端部側に配置できる。そして、傘立てに傘を立脚した状態では、キャラクターなどの識別表示が他者の傘の本体（帆部）に埋没しないので、傘立てから不用意に他者の傘を持ち帰えることを防止できる。
【００３８】
（１０）  前記一対の第２開閉体の内の他方の第２開閉体の外壁に貼着されるネームシールを更に備える（９）記載の傘用止め具。
【００３９】
（１０）の発明による止め具は、傘の所有者を特定できる。
【００４０】
（１１）  一方の面の一部が前記一対の第２開閉体の連結部に連結し、視覚容易に配置される他方の面に蓄光シール又は蛍光シールが貼着される標識板を備える（９）又は（１０）記載の傘用止め具。
【００４１】
蓄光とは、物質が光をためて発光する性状をいい、夜間の視認を容易にする。蓄光シールは、蓄光物質が含有されたプラスチックシールであってよく、蓄光物質が塗布されたシールであってもよい。蓄光物質でシンボル又は文字が描かれた標識は、電源や配線を不要にするという利点がある。
【００４２】
蛍光は、放射性元素からでる放射線の励起による発光を含んでよく、夜間の視認を容易にする。蛍光シールは、蛍光染料が含侵されたシールであってよく、蛍光物質が塗布されたシールであってもよい。
【００４３】
標識板は、円板であってよく、矩形板であってもよく、厚さ以上の面積を両面が有すれば、外形の形状は特に限定されない。他方の面は、平面であってよく、突出した曲面であってもよく、一部に開口を含んでもよい。
【００４４】
（１１）の発明による止め具は、蓄光シール又は蛍光シールが貼着される標識板を備えているので、この止め具を備える傘を把持して歩行すれば、蓄光シール又は蛍光シールによって歩行者の存在が喚起される。つまり、夜間の歩行が安全である。特に、自動車のライトによって、蓄光シール又は蛍光シールの発光が確認されるので、交通安全が促進されると考えられる。
【００４５】
（１２）  少なくとも棒状の柄を有する傘用止め具であって、弾性的に縮径して前記棒状の柄に対して滑り困難に締着する筒状の第１防水布体と、所要の長さの優弧部を前記第１防水布体の端部の内面に止着し、残余の劣弧部を当該第１防水布体の端部の外面に突出する無端状の紐体と、を備え、前記第１防水布体は、その外面に意匠が表示された意匠部を有し、前記紐体は、前記劣弧部に係止されて前記優弧部を縮径可能なクリップを有する傘用止め具。
【００４６】
（１２）の発明による止め具は、少なくとも棒状の柄を有する傘用止め具であって、筒状の第１防水布体と無端状の紐体を備えている。第１防水布体は、弾性的に縮径して、棒状の柄に対して滑り困難に締着する。紐体は、所要の長さの優弧部を第１防水布体の端部の内面に止着している。又、紐体は、残余の劣弧部を第１防水布体の端部の外面に突出している。
【００４７】
第１防水布体は、その外面に意匠が表示された意匠部を有している。紐体は、劣弧部に係止されており、優弧部を縮径可能なクリップを有している。
【００４８】
例えば、第１防水布体は、ポリエステル又はポリウレタンなどの化学繊維が織られた矩形の防水布であってよく、この防水布の両端を縫製して筒状の第１防水布体を得ることができる。第１防水布体は、蛇腹状に縮小できるので、Ｕ字状の柄の先端部から挿入して装着できる。
【００４９】
クリップを優弧部側に移動すれば、優弧部が縮径して第１防水布体と共に棒状の柄に締着できる。一方、劣弧部には、例えば、キャラクターグッズなどの識別体に設けられたストラップを繋止できる。クリップに貫通孔を設けて、キャラクターグッズなどの識別体に設けられたストラップを繋止してもよい。
【００５０】
このように、（１２）の発明による止め具は、筒状の第１防水布体と無端状の紐体が傘の柄から下降しないように係止されるので、キャラクターグッズなどの識別体が傘の柄に滞留するように紐体の劣弧部に配置できる。そして、傘立てに傘を立脚した状態では、キャラクターグッズなどの識別体が他者の傘の本体（帆部）に埋没しないので、傘立てから不用意に他者の傘を持ち帰えることを防止できる。又、（１２）の発明による止め具は、第１防水布体の外面に意匠が表示されるので、美観上好ましく、意匠自体で識別可能になると考えられる。
【００５１】
（１３）  前記第１防水布体は、前記紐体が止着される端部の開口が棒状の柄に着脱容易に拡径している（１２）記載の傘用止め具。
【００５２】
（１２）の発明による止め具は、紐体が止着される端部の開口が棒状の柄に着脱容易に拡径しているので、棒状の柄への装着又は棒状の柄からの離脱が容易である。そして、この端部の開口は、クリップを優弧部側に移動すれば、優弧部が縮径して第１防水布体と共に棒状の柄に締着できる。
【００５３】
（１４）  少なくとも棒状の柄を有する傘用止め具であって、弾性的に縮径して前記棒状の柄に対して滑り困難に締着する筒状の第２防水布体と、この第２防水布体の一方の端部の開口から当該第２防水布体の長手方向の途中までを開閉するファスナと、を備え、前記第２防水布体は、その外面に意匠が表示された意匠部を有する傘用止め具。
【００５４】
例えば、第２防水布体は、ポリエステル又はポリウレタンなどの化学繊維が織られた矩形の防水布であってよく、この防水布の両端を縫製して筒状の第２防水布体を得ることができる。第２防水布体は、蛇腹状に縮小できるので、Ｕ字状の柄の先端部から挿入して装着できる。
【００５５】
ファスナは、スライダを移動することにより一対の複数の歯（エレメント）を噛み合わせるスライドファスナであってよく、エレメントが金属で出来ている金属ファスナであってよく、エレメントが合成樹脂で出来ている樹脂ファスナであってもよい。
【００５６】
スライダを下げると、第２防水布体の一方の端部の開口が開き、棒状の柄に容易に装着できる。スライダを上げると、第２防水布体の一方の端部の開口が閉じ、第２防水布体が弾性的に縮径して棒状の柄に対して滑り困難に締着する。一方、スライダに設けられた孔には、例えば、キャラクターグッズなどの識別体に設けられたストラップを繋止できる。
【００５７】
このように、（１４）の発明による止め具は、筒状の第２防水布体の端部をファスナで閉じると、第２防水布体が傘の柄から下降しないように係止されるので、キャラクターグッズなどの識別体が傘の柄に滞留するようにファスナのスライダに配置できる。そして、傘立てに傘を立脚した状態では、キャラクターグッズなどの識別体が他者の傘の本体（帆部）に埋没しないので、傘立てから不用意に他者の傘を持ち帰えることを防止できる。又、（１４）の発明による止め具は、第２防水布体の外面に意匠が表示されるので、美観上好ましく、意匠自体で識別可能になると考えられる。
【発明の効果】
【００５８】
本発明による傘用止め具は、滑り防止手段で傘の柄から下降しないように係止されるので、キャラクターグッズなどの識別体が傘の柄に滞留するように配置できる。そして、傘立てに傘を立脚した状態では、キャラクターグッズなどの識別体が他者の傘の本体（帆部）に埋没しないので、傘立てから不用意に他者の傘を持ち帰えることを防止できる。
【発明を実施するための最良の形態】
【００５９】
以下、図面を参照して本発明を実施するための最良の形態を説明する。
【００６０】
図１は、本発明による傘用止め具の第１実施形態を示す正面図であり、傘用止め具の使用状態図である。図２は、前記第１実施形態による傘用止め具の斜視外観図である。図３は、前記第１実施形態による傘用止め具の平面図である。図４は、前記第１実施形態による傘用止め具の斜視外観図であり、図２と異なる方向から傘用止め具を観ている。
【００６１】
図５は、本発明による傘用止め具の第２実施形態を示す斜視外観図である。図６は、前記第２実施形態による傘用止め具の平面図である。図７は、本発明による傘用止め具の第３実施形態を示す斜視外観図である。図８は、前記第３実施形態による傘用止め具の展開図であり、内面から傘用止め具を観ている。図９は、前記第３実施形態による傘用止め具の展開図であり、外面から傘用止め具を観ている。図１０は、本発明による傘用止め具の第４実施形態を示す斜視外観図である。
【００６２】
図１１は、本発明による傘用止め具の第５実施形態を示す斜視外観図である。図１２は、前記第５実施形態による傘用止め具の斜視外観図であり、傘用止め具を傘から取り外した状態図である。図１３は、前記第５実施形態による傘用止め具の右側面図である。図１４は、前記第５実施形態による傘用止め具の左側面図である。図１５は、前記第５実施形態による傘用止め具の使用状態図である。
【００６３】
図１６は、本発明による傘用止め具の第６実施形態を示す斜視外観図である。図１７は、本発明による傘用止め具の第７実施形態を示す斜視外観図である。
【００６４】
最初に、本発明による傘用止め具（以下、止め具と略称する）の第１実施形態の構成を説明する。図１において、第１実施形態の止め具１０は、少なくとも棒状の柄８０を有する傘８に適用される。図１から図４において、止め具１０は、筒体１１、ストラップ繋止部１２、及び滑り防止手段となる弾性シート１３を備えている。
【００６５】
図１から図４において、筒体１１は、棒状の柄８０を弾性的に挟着できる。ストラップ繋止部１２は、筒体１１の外壁に設けられている。弾性シート１３は、筒体１１の内壁に設けられている。そして、筒体１１は、軸方向と略平行に、棒状の柄８０の外径より小さく開口されたスリット１１ａを有している。又、弾性シート１３は、筒体１１の内壁に貼着されており、棒状の柄８０に対して滑り困難となっている。
【００６６】
次に、第１実施形態の止め具１０の作用を説明する。図１から図４において、筒体１１は、弾性変形する柔軟合成樹脂で成形されており、スリット１１ａを拡げることにより、傘８の柄８０に筒体１１を取り付けることができる。
【００６７】
図１から図４において、ストラップ繋止部１２は、Ｕ字状に形成されており、例えば、キャラクターグッズなどの識別体に設けられたストラップを繋止できる。図１の実施形態において、識別体として名札入れを示している。又、図示されたＵ字状のストラップ繋止部１２には、線体が密着するように巻回されたリング１２ａを連結しているが、このリング１２ａもストラップ繋止部１２に含まれる。
【００６８】
図１から図４において、筒体１１は、傘８の柄８０の基端部から上方の先端部側に挟着することが好ましい。弾性シート１３は、天然ゴムでよく、合成ゴムでよく、粘性を有することが滑り困難となり好ましい。
【００６９】
このように、第１実施形態による止め具は、滑り防止手段で傘の柄から下降しないように係止されるので、キャラクターグッズなどの識別体が傘の柄に滞留するように配置できる。そして、傘立てに傘を立脚した状態では、キャラクターグッズなどの識別体が他者の傘の本体（帆部）に埋没しないので、傘立てから不用意に他者の傘を持ち帰えることを防止できる。
【００７０】
次に、本発明による止め具の第２実施形態の構成を説明する。図５及び図６において、第２実施形態の止め具２０は、少なくとも棒状の柄８０を有する傘８に適用される（図１参照）。図５及び図６において、止め具２０は、帯体２１、ストラップ繋止部２２、及び滑り防止手段となる弾性シート２３を備えている。
【００７１】
図５及び図６において、帯体２１は、棒状の柄８０を巻回して締結できる（図１参照）。ストラップ繋止部２２は、帯体２１の一方の面（オモテ面）に設けられている。弾性シート２３は、帯体２１の他方の面（ウラ面）に設けられている。そして、帯体２１は、一方の面の一端側と他方の面の他端側とが相互に着脱自在な一組の帯状の面ファスナ２４ａ・２４ｂを有している。又、弾性シート２３は、帯体２１の他方の面に貼着されており、棒状の柄８０に対して滑り困難となっている（図１参照）。
【００７２】
次に、第２実施形態の止め具２０の作用を説明する。図５及び図６において、帯体２１は、屈曲自在な布体で形成されており、帯体２１を棒状の柄８０に巻回して傘８の柄８０に一組の帯状の面ファスナ２４ａ・２４ｂで締結できる（図１参照）。ストラップ繋止部２２は、太い繊維体でＵ字状に形成されており、例えば、キャラクターグッズなどの識別体に設けられたストラップを繋止できる。図示されたＵ字状のストラップ繋止部２２には、線体が密着するように巻回されたリング２２ａを連結しているが、このリング２２ａもストラップ繋止部２２に含まれる。
【００７３】
図５及び図６において、帯体２１は、傘８の柄８０の基端部から上方の先端部側に締結することが好ましい（図１参照）。弾性シート２３は、天然ゴムでよく、合成ゴムでよく、粘性を有することが滑り困難となり好ましい。
【００７４】
このように、第２実施形態による止め具は、滑り防止手段で傘の柄から下降しないように係止されるので、キャラクターグッズなどの識別体が傘の柄に滞留するように配置できる。そして、傘立てに傘を立脚した状態では、キャラクターグッズなどの識別体が他者の傘の本体（帆部）に埋没しないので、傘立てから不用意に他者の傘を持ち帰えることを防止できる。
【００７５】
次に、本発明による止め具の第３実施形態の構成を説明する。図７から図９において、第３実施形態の止め具３０は、少なくとも棒状の柄８０を有する傘８に適用される（図１参照）。図７から図９において、止め具３０は、長尺の帯体３１、ストラップ繋止部、及び滑り防止手段となる弾性シート３３を備えている。
【００７６】
図７から図９において、長尺の帯体３１は、棒状の柄８０を巻回して締結できる（図１参照）。ストラップ繋止部３２は、長尺の帯体３１の一方の面（外面３１１）に設けられている。弾性シート３３は、長尺の帯体３１の他方の面（内面３１２）に設けられている。
【００７７】
図７から図９において、長尺の帯体３１は、貼着部３１ａと意匠部３１ｂを有している。貼着部３１ａは、長尺の帯体３１の外面３１１の一端側が長尺の帯体３１の内面３１２の他端側に着脱自在となっている。例えば、貼着部３１ａには、粘着シートが貼着されている。意匠部３１ｂは、長尺の帯体３１の外面３１１に意匠が表示されている。又、弾性シート３３は、長尺の帯体３１の内面３１２に貼着されて、棒状の柄８０に対して滑り困難となっている（図１参照）。
【００７８】
次に、第３実施形態の止め具３０の作用を説明する。図７から図９において、長尺の帯体３１は、屈曲自在な柔軟合成樹脂で成形されており、長尺の帯体３１を棒状の柄８０に巻回して傘８の柄８０に貼着部３１ａで締結できる（図１参照）。ストラップ繋止部３２は、Ｕ字状に形成されており、例えば、キャラクターグッズなどの識別体に設けられたストラップを繋止できる。なお、ストラップ繋止部３２が取り付けられる部位は、肉厚の厚い補強部３４となっている。
【００７９】
図７から図９において、ストラップ繋止部３２は、長尺の帯体３１の長手方向の一方の端部に設けられている。そして、ストラップ繋止部３２が傘８の柄８０の上方に位置するように長尺の帯体３１に締結することが好ましい（図１参照）。弾性シート３３は、天然ゴムでよく、合成ゴムでよく、粘性を有することが滑り困難となり好ましい。
【００８０】
このように、第３実施形態による止め具は、滑り防止手段で傘の柄から下降しないように係止されるので、キャラクターグッズなどの識別体が傘の柄に滞留するように配置できる。そして、傘立てに傘を立脚した状態では、キャラクターグッズなどの識別体が他者の傘の本体（帆部）に埋没しないので、傘立てから不用意に他者の傘を持ち帰えることを防止できる。又、第３実施形態による止め具は、長尺の帯体に意匠が表示されるので、美観上好ましく、意匠自体で識別可能になると考えられる。
【００８１】
次に、本発明による止め具の第４実施形態の構成を説明する。図１０において、第４実施形態の止め具４０は、少なくとも棒状の柄８０を有する傘８に適用される（図１参照）。図１０において、止め具４０は、一対の第１開閉体４１ａ・４１ｂ、ストラップ繋止部４２、及び滑り防止手段となる一対の弾性シート４３ａ・４３ｂを備えている。
【００８２】
図１０において、一対の第１開閉体４１ａ・４１ｂは、棒状の柄８０を挟持できる（図１参照）。ストラップ繋止部４２は、第１開閉体４１ａの外壁に設けられている。一対の弾性シート４３ａ・４３ｂは、一対の第１開閉体４１ａ・４１ｂの内壁に設けられている。
【００８３】
図１０において、一対の第１開閉体４１ａ・４１ｂは、一対の挟持部４１１・４１２と一対の把持部４１３・４１４を有している。一対の挟持部４１１・４１２は、連結部に設けられたねじりコイルばね４４が一対の挟持部４１１・４１２を閉じる方向に付勢している。一対の把持部４１３・４１４は、互いに近づけることにより、第１ねじりコイルばね４４に抗して一対の挟持部４１１・４１２を開くことができる。
【００８４】
又、図１０において、一対の弾性シート４３ａ・４３ｂは、一対の挟持部４１１・４１２の内壁に貼着されて、棒状の柄８０に対して滑り困難となっている（図１参照）。
【００８５】
次に、第４実施形態の止め具４０の作用を説明する。図１０において、一対の第１開閉体４１ａ・４１ｂは、剛体の合成樹脂で構成されている。止め具４０は、一対の挟持部４１１・４１２を開いて棒状の柄８０に挿入できる（図１参照）。そして、一対の挟持部４１１・４１２を閉じて、一対の第１開閉体４１ａ・４１ｂを棒状の柄８０に挟持できる（図１参照）。
【００８６】
図１０において、ストラップ繋止部４２は、Ｕ字状に成形されており、例えば、キャラクターグッズなどの識別体に設けられたストラップを繋止できる。図示されたＵ字状のストラップ繋止部４２には、線体が密着するように巻回されたリング４２ａを連結しているが、このリング４２ａもストラップ繋止部４２に含まれる。
【００８７】
図１０において、一対の第１開閉体４１ａ・４１ｂは、傘８の柄８０の基端部から上方の先端部側に挟持することが好ましい。一対の弾性シート４３ａ・４３ｂは、天然ゴムでよく、合成ゴムでよく、粘性を有することが滑り困難となり好ましい（図１参照）。
【００８８】
このように、第４実施形態による止め具は、滑り防止手段で傘の柄から下降しないように係止されるので、キャラクターグッズなどの識別体が傘の柄に滞留するように配置できる。そして、傘立てに傘を立脚した状態では、キャラクターグッズなどの識別体が他者の傘の本体（帆部）に埋没しないので、傘立てから不用意に他者の傘を持ち帰えることを防止できる。
【００８９】
次に、本発明による止め具の第５実施形態の構成を説明する。図１１において、第５実施形態の止め具５０は、少なくとも棒状の柄８０を有する傘８に適用される。図１２において、止め具５０は、一対の第２開閉体５１ａ・５１ｂ、識別シール５２、及び滑り防止手段となる一対の弾性シート５３ａ・５３ｂを備えている。又、図１３に示されるように、止め具５０は、第２開閉体５１ｂの外壁に貼着されるネームシール５５を備えている。
【００９０】
図１２において、一対の第２開閉体５１ａ・５１ｂは、棒状の柄８０を挟持できる（図１１参照）。識別シール５２は、第２開閉体５１ａの外壁に貼着される。一対の弾性シート５３ａ・５３ｂは、一対の第２開閉体５１ａ・５１ｂの内壁に設けられている。
【００９１】
図１３において、一対の第２開閉体５１ａ・５１ｂは、第２ねじりコイルばね５４を有している。第２ねじりコイルばね５４は、一対の第２開閉体５１ａ・５１ｂの端部同士を回動可能に連結する連結部５１ｃに配置されている。そして、第２ねじりコイルばね５４は、一対の第２開閉体５１ａ・５１ｂを閉じる方向に力を付勢している。又、滑り防止手段は、一対の第２開閉体の内壁に貼着されて、棒状の柄に対して滑り困難な一対の弾性シートで構成されている。
【００９２】
又、図１２において、一対の弾性シート５３ａ・５３ｂは、一対の第２開閉体５１ａ・５１ｂの内壁に貼着されて、棒状の柄８０に対して滑り困難となっている（図１１又は図１３参照）。
【００９３】
更に、図１１から図１５において、止め具５０は、円板状の標識板５６を備えている。標識板５６は、一方の面５６１の一部が連結部５１に連結している（図１３参照）。又、標識板５６は、視覚容易に配置される他方の面５６２に（図１３参照）、蓄光シール又は蛍光シールからなる発光シール５６ａが貼着されている。
【００９４】
次に、第５実施形態の止め具５０の作用を説明する。図１１から図１５において、止め具５０は、一対の第２開閉体５１ａ・５１ｂを開いて、棒状の柄８０に挿入できる。一方、止め具５０は、一対の第２開閉体５１ａ・５１ｂを閉じて、一対の第２開閉体５１ａ・５１ｂを棒状の柄８０に挟持できる。
【００９５】
図１１から図１３において、識別シール５２は、第２開閉体５１ａの外壁に貼着されており、例えば、キャラクターなどが描かれた識別シール５２を第２開閉体５１ａの外壁に表示できる。図１４において、止め具５０は、第２開閉体５１ｂの外壁に貼着されるネームシール５５を備えるので、傘の所有者を特定できる。
【００９６】
図１１から図１３において、一対の第２開閉体５１ａ・５１ｂは、傘８の柄８０の基端部から上方の先端部側に挟持することが好ましい。一対の弾性シート５３ａ・５３ｂは、天然ゴムでよく、合成ゴムでよく、粘性を有することが滑り困難となり好ましい。
【００９７】
このように、第５実施形態による止め具は、滑り防止手段で傘の柄から下降しないように係止されるので、キャラクターなどの識別表示を傘の柄の先端部側に配置できる。そして、傘立てに傘を立脚した状態では、キャラクターなどの識別表示が他者の傘の本体（帆部）に埋没しないので、傘立てから不用意に他者の傘を持ち帰えることを防止できる。
【００９８】
又、図１５を参照すると、第５実施形態による止め具５０は、発光シール５６ａが貼着される標識板５６を備えているので、止め具５０を備える傘８を把持して歩行すれば、発光シール５６ａによって歩行者の存在が喚起される。つまり、夜間の歩行が安全である。特に、自動車のライトによって、発光シール５６ａの発光が確認されるので、交通安全が促進されると考えられる。
【００９９】
次に、本発明による止め具の第６実施形態の構成を説明する。図１６において、第６実施形態の止め具６０は、少なくとも棒状の柄８０を有する傘８に適用される。図１６において、止め具６０は、筒状の第１防水布体６１と無端状の紐体６２を備えている。
【０１００】
図１６において、第１防水布体６１は、弾性的に縮径して、棒状の柄８０に対して滑り困難に締着できる。紐体６２は、所要の長さの優弧部６２ａを第１防水布体６１の端部の内面に止着している。又、紐体６２は、残余の劣弧部６２ｂを第１防水布体６１の端部の外面に突出している。
【０１０１】
図１６において、第１防水布体６１は、その外面に意匠が表示された意匠部６１ａを有している。紐体６２は、劣弧部６２ｂに係止されており、優弧部６２ａを縮径可能なクリップ６３を有している。
【０１０２】
次に、第６実施形態の止め具６０の作用を説明する。図１６において、第１防水布体６１は、ポリエステル又はポリウレタンなどの化学繊維が織られた矩形の防水布であってよく、この防水布の両端を縫製して筒状の第１防水布体６１を得ることができる。第１防水布体６１は、蛇腹状に縮小できるので、Ｕ字状の柄８０の先端部から挿入して装着できる。
【０１０３】
図１６において、クリップ６３を優弧部６２ａ側に移動すれば、優弧部６２ａが縮径して第１防水布体６１と共に棒状の柄８０に締着できる。一方、劣弧部６２ｂには、例えば、キャラクターグッズなどの識別体に設けられたストラップを繋止できる。クリップ６３に貫通孔を設けて、キャラクターグッズなどの識別体に設けられたストラップを繋止してもよい。
【０１０４】
図１６を参照すると、本発明の第６実施形態による止め具６０は、筒状の第１防水布体６１と無端状の紐体６２が傘の柄８０から下降しないように係止されるので、キャラクターグッズなどの識別体が傘の柄８０に滞留するように紐体６２の劣弧部６２ｂに配置できる。そして、傘立てに傘を立脚した状態では、キャラクターグッズなどの識別体が他者の傘の本体（帆部）に埋没しないので、傘立てから不用意に他者の傘を持ち帰えることを防止できる。
【０１０５】
又、図１６を参照すると、本発明の第６実施形態による止め具６０は、第１防水布体６１の外面に意匠が表示されるので、美観上好ましく、意匠自体で識別可能になると考えられる。
【０１０６】
更に、図１６を参照すると、本発明の第６実施形態による止め具６０は、第１防水布体の一方の端部の開口６１１が他方の端部の開口６１２と比較して拡径している。つまり、止め具６０は、紐体６２が止着される端部の開口６１１が棒状の柄８０に着脱容易に拡径しているので棒状の柄８０への装着又は棒状の柄８０からの離脱が容易である。
【０１０７】
そして、この端部の開口６１１は、クリップ６３を優弧部６２ａ側に移動すれば、優弧部６２ａが縮径して、第１防水布体６１と共に棒状の柄８０に締着できる。
【０１０８】
次に、本発明による止め具の第７実施形態の構成を説明する。図１７において、第７実施形態の止め具７０は、少なくとも棒状の柄８０を有する傘８に適用される。図１７において、止め具７０は、筒状の第２防水布体７１とファスナ７２を備えている。
【０１０９】
図１７において、第２防水布体７１は、弾性的に縮径して棒状の柄８０に対して滑り困難に締着できる。ファスナ７２は、第２防水布体７１の一方の端部の開口７１１から第２防水布体７１の長手方向の途中までを開閉できる。第２防水布体７１は、その外面に意匠が表示された意匠部７１ａを有している。
【０１１０】
図１７において、第２防水布体７１は、ポリエステル又はポリウレタンなどの化学繊維が織られた矩形の防水布であってよく、この防水布の両端を縫製して筒状の第２防水布体７１を得ることができる。第２防水布体７１は、蛇腹状に縮小できるので、Ｕ字状の柄８０の先端部から挿入して装着できる。
【０１１１】
図１７において、ファスナ７２は、スライダを移動することによりエレメントを噛み合わせるスライドファスナであってよく、エレメントが金属で出来ている金属ファスナであってよく、エレメントが合成樹脂で出来ている樹脂ファスナであってもよい。
【０１１２】
次に、第７実施形態の止め具７０の作用を説明する。図１７において、ファスナ７２のスライダを下げると、第２防水布体７１の一方の端部の開口７１１が開き、棒状の柄８０に容易に装着できる。スライダを上げると、第２防水布体７１の一方の端部の開口７１１が閉じ、第２防水布体７１が弾性的に縮径して、棒状の柄８０に対して滑り困難に締着できる。
【０１１３】
一方、図１７を参照すると、ファスナ７２のスライダに設けられた孔には、例えば、キャラクターグッズなどの識別体に設けられたストラップを繋止できる。
【０１１４】
図１７を参照すると、本発明の第７実施形態による止め具７０は、筒状の第２防水布体７１の端部をファスナ７２で閉じると、第２防水布体７１が傘の柄８０から下降しないように係止されるので、キャラクターグッズなどの識別体が傘の柄８０に滞留するようにファスナ７２のスライダに配置できる。
【０１１５】
そして、傘立てに傘を立脚した状態では、キャラクターグッズなどの識別体が他者の傘の本体（帆部）に埋没しないので、傘立てから不用意に他者の傘を持ち帰えることを防止できる。
【０１１６】
又、図１６を参照すると、本発明の第７実施形態による止め具７０は、第２防水布体７１の外面に意匠が表示されるので、美観上好ましく、意匠自体で識別可能になると考えられる。
【図面の簡単な説明】
【０１１７】
【図１】本発明による傘用止め具の第１実施形態を示す正面図であり、傘用止め具の使用状態図である。
【図２】前記第１実施形態による傘用止め具の斜視外観図である。
【図３】前記第１実施形態による傘用止め具の平面図である。
【図４】前記第１実施形態による傘用止め具の斜視外観図であり、図２と異なる方向から傘用止め具を観ている。
【図５】本発明による傘用止め具の第２実施形態を示す斜視外観図である。
【図６】前記第２実施形態による傘用止め具の平面図である。
【図７】本発明による傘用止め具の第３実施形態を示す斜視外観図である。
【図８】前記第３実施形態による傘用止め具の展開図であり、内面から傘用止め具を観ている。
【図９】前記第３実施形態による傘用止め具の展開図であり、外面から傘用止め具を観ている。
【図１０】本発明による傘用止め具の第４実施形態を示す斜視外観図である。
【図１１】本発明による傘用止め具の第５実施形態を示す斜視外観図である。
【図１２】前記第５実施形態による傘用止め具の斜視外観図であり、傘用止め具を傘から取り外した状態図である。
【図１３】前記第５実施形態による傘用止め具の右側面図である。
【図１４】前記第５実施形態による傘用止め具の左側面図である。
【図１５】前記第５実施形態による傘用止め具の使用状態図である。
【図１６】本発明による傘用止め具の第６実施形態を示す斜視外観図である。
【図１７】本発明による傘用止め具の第７実施形態を示す斜視外観図である。
【符号の説明】
【０１１８】
８  傘
１０・２０・３０・４０・５０・６０・７０  止め具
１１  筒体
１１ａ  スリット
１２・２２・３２  ストラップ繋止部
１３・２３・３３・４３ａ・４３ｂ・５３ａ・５３ｂ  弾性シート（滑り防止手段）
２１  帯体
３１  長尺の帯体
４１ａ・４１ｂ  一対の第１開閉体
５１ａ・４１ｂ  一対の第２開閉体
６１  第１防水布体
６２  紐体
６３  クリップ
７１  第２防水布体
７２  ファスナ
８０  柄
【図１】
2009072578.tif 000003
【図２】
2009072578.tif 000004
【図３】
2009072578.tif 000005
【図４】
2009072578.tif 000006
【図５】
2009072578.tif 000007
【図６】
2009072578.tif 000008
【図７】
2009072578.tif 000009
【図８】
2009072578.tif 000010
【図９】
2009072578.tif 000011
【図１０】
2009072578.tif 000012
【図１１】
2009072578.tif 000013
【図１２】
2009072578.tif 000014
【図１３】
2009072578.tif 000015
【図１４】
2009072578.tif 000016
【図１５】
2009072578.tif 000017
【図１６】
2009072578.tif 000018
【図１７】
2009072578.tif 000019